(57)【要約】      （修正有）【課題】自立用としても吊り下げ用としても使用することができ、吊り下げ用とした場合には、収納物品の種類や数量に応じた必要な段数にすることができ、また収納物品が一種類で、数量が少ない場合には、収納部を一段にもすることができる収納具を提供する。【解決手段】両側板２、前板、後板４、および底板から構成され、上方を開放した収納体１とし、後板の上端部の中央に吊り下げ用小孔４１を設けると共に、この後板の裏面の下端部の中央に吊り下げ用係合片を設け、さらに後板の下半部に起立用支持部を設けたものとし、この起立用支持部は、左右一対の支持脚４３ａと、支持脚の間に位置するようにした係合片４３ｂとからなり、支持脚が切り目および折り目から切り折りして起こされた状態で、係合片が折り目から折り起こされた状態で、支持脚と係合片とが係合するようにしている。【選択図】図７
0003192467.tif 000002
【実用新案登録請求の範囲】
【請求項１】
両側板（２）、前板（３）、後板（４）、および底板（５）から構成され、上方を開放した収納体（１）とし、前記後板（４）の上端部の中央に小孔（４１）を設けると共に、この後板（４）の裏面の下端部の中央に係合片（４２）を設け、さらに前記後板（４）の下半部に起立用支持部（４３）を設けたものとし、この起立用支持部（４３）は、左右一対の支持脚（４３ａ）と、これら支持脚（４３ａ）の間に位置するようにした係合片（４３ｂ）とからなり、前記支持脚（４３ａ）が切り目（４４）および折り目（４５）から切り折りして起こされた状態で、前記係合片（４３ｂ）が折り目（４６）から折り起こされた状態で、これら支持脚（４３ａ）と係合片（４３ｂ）とが係合するようにしていることを特徴とする収納具。
【請求項２】
前記切り目（４４）は、左右一対の支持脚（４３ａ）のそれぞれの周囲に形成された上辺切り目（４４ａ）、側辺切り目（４４ｂ）、下辺切り目（４４ｃ）と、前記係合片（４３ｂ）の周囲に形成された上辺切り目（４４ｄ）、側辺切り目（４４ｅ）、下辺切り目（４４ｆ）とからなり、前記折り目（４５）は、左右一対の支持脚（４３ａ）のそれぞれの基部に形成された側辺折り目（４５ａ、４５ｂ）とからなり、前記折り目（４６）は、係合片（４３ｂ）の基部に形成された下辺折り目（４６ａ）としていることを特徴とする請求項１記載の収納具。
【請求項３】
前記支持脚（４３ａ）に係合溝（４７）を設け、前記係合片（４３ｂ）に係合溝（４８）を設け、前記係合溝（４７）と前記係合溝（４８）とが互いに係合するようにしていることを特徴とする請求項１または２記載の収納具。
【請求項４】
前記収納体（１）の前板（３）の下端と底板（５）の前端とを弱め部（３１）で繋いでヒンジ構造として、収納体（１）を展開した形状で成形することにより、収納体（１）を合成樹脂の一体成形品としていることを特徴とする請求項１〜３の何れかに記載の収納具。
【請求項５】
前板（３）の上辺（３ａ）寄りの両側部に係合片（３２）を設け、両側板（２）の上辺（２ａ）の上端寄りの下方に係合孔（２１）を設け、前記弱め部（３１）から前板（３）を起こし、係合片（３２）を係合孔（２１）に係合することにより、収納体（１）を組み上げるようにしていることを特徴とする請求項４記載の収納具。
【考案の詳細な説明】
【技術分野】
【０００１】
この考案は、例えば店頭において、カタログ、パンフレット、商品等を展示したり、室内において、書籍、書類、小物等を収納しておくのに適した収納具に関するものである。
【背景技術】
【０００２】
従来からこの種の収納具としては、カタログ、パンフレット、商品、書籍、書類、小物等（以下、収納する物品、または単に物品という）を収納しておく収納部を設けたものが存在する。
【０００３】
このような収納具の一例としては、起立板と支持部材板から構成された一枚の厚紙を折り畳み、物品を収納するポケットを設けたものとしており、テーブルなどに起立させておけるようにしている（特許文献１）。
【０００４】
このような収納具の他の例としては、支持板と上下二段の箱状収納部とを組立て成形し、前記各収納部は右側壁、前壁および左側壁を形成したものとしており、前記支持板の上端に設けた小孔に紐を通し、壁などに吊り下げておけるようにしている（特許文献２）。
【０００５】
このような収納具のさらに他の例としては、複数のトレーを上下に配しており、これらのトレーの背面に亘って台紙を沿わせ、この台紙に形成したビス穴に、各トレーの背面に突設したビスを係合させて、上下のトレーを台紙に取り付けるようにし、台紙の上端に設けた小孔に紐を通し、壁などに吊り下げておけるようにしている（特許文献３）。
【先行技術文献】
【特許文献】
【０００６】
【特許文献１】特開２００２−１７７１０４号公報
【特許文献２】特開平９−３０９５７３号公報
【特許文献３】特開２００４−２３６８８０号公報
【考案の概要】
【考案が解決しようとする課題】
【０００７】
上記特許文献１に示された従来の収納具は、テーブルなどに起立させておけるようにした自立専用品である。
【０００８】
したがって、このような従来の収納具では、壁などに吊り下げて使用することができず、多用性に乏しく、使い勝手が悪いという課題を有していた。
【０００９】
上記特許文献２、３に示された従来の収納具は、いずれも収納部（トレー）を上下二段に設けたものとしており、壁などに吊り下げておけるようにした吊下専用品である。
【００１０】
したがって、このような従来の収納具では、テーブルなどに起立させて使用することができず、多用性に乏しく、使い勝手が悪いという課題を有していた。
【００１１】
さらに、このような従来の収納具では、収納する物品の種類が異なる場合も、同じ種類毎に複数を重ねたりして、それぞれを別の収納部に収納しておくことができる。しかしながら、収納する物品の種類が多い場合は二段では足りず、別の収納具を用意して、その収納具に収納しなければならず、その収納具の個数も多数におよぶ場合があり、吊り下げておく場所も多くいるという課題を有していた。
【００１２】
また、このような従来の収納具では、上記したのとは逆に収納物品が一種類で、しかも数量が少ない場合には、収納部は一段ですみ、もう一段は邪魔になってしまい、またその段を空にしておくと体裁も悪いという課題を有していた。
【００１３】
そこで、この考案は、上記従来の収納具が有する課題を解決することを目的としており、自立用としても吊り下げ用としても使用することができ、吊り下げ用とした場合には、収納物品の種類が多く、その数量が多いときは、その種類や数量に応じた必要な段数にすることができ、また収納物品が一種類で、しかも数量が少ない場合には、収納部を一段にもすることができる収納具を提供することを目的としてなされたものである。
【課題を解決するための手段】
【００１４】
そのため、この考案の収納具は、両側板２、前板３、後板４、および底板５から構成され、上方を開放した収納体１とし、前記後板４の上端部の中央に小孔４１を設けると共に、この後板４の裏面の下端部の中央に係合片４２を設け、さらに前記後板４の下半部に起立用支持部４３を設けたものとし、この起立用支持部４３は、左右一対の支持脚４３ａと、これら支持脚４３ａの間に位置するようにした係合片４３ｂとからなり、前記支持脚４３ａが切り目４４および折り目４５から切り折りして起こされた状態で、前記係合片４３ｂが折り目４６から折り起こされた状態で、これら支持脚４３ａと係合片４３ｂとが係合するようにしている。
【００１５】
そして、この考案の収納具において、前記切り目４４は、左右一対の支持脚４３ａのそれぞれの周囲に形成された上辺切り目４４ａ、側辺切り目４４ｂ、下辺切り目４４ｃと、前記係合片４３ｂの周囲に形成された上辺切り目４４ｄ、側辺切り目４４ｅ、下辺切り目４４ｆとからなり、前記折り目４５は、左右一対の支持脚４３ａのそれぞれの基部に形成された側辺折り目４５ａ、４５ｂとからなり、前記折り目４６は、係合片４３ｂの基部に形成された下辺折り目４６ａとしている。
【００１６】
さらに、この考案の収納具において、前記支持脚４３ａに係合溝４７を設け、前記係合片４３ｂに係合溝４８を設け、前記係合溝４７と前記係合溝４８とが互いに係合するようにしている。
【００１７】
また、この考案の収納具において、前記収納体１の前板３の下端と底板５の前端とを弱め部３１で繋いでヒンジ構造として、収納体１を展開した形状で成形することにより、収納体１を合成樹脂の一体成形品としている。
【００１８】
さらにまた、この考案の収納具において、前板３の上辺３ａ寄りの両側部に係合片３２を設け、両側板２の上辺２ａの上端寄りの下方に係合孔２１を設け、前記弱め部３１から前板３を起こし、係合片３２を係合孔２１に係合することにより、収納体１を組み上げるようにしている。
【考案の効果】
【００１９】
この考案の収納具は、以上に述べたように構成されており、自立用としても吊り下げ用としても使用することができるので、多用性に富むものとなり、使い勝手が良いものとなった。
【００２０】
さらに、この考案の収納具は、吊り下げ用とした場合に、収納物品の種類が多く、その数量が多いときは、その種類や数量に応じた必要な段数にすることができるので、別の収納具を用意して、その収納具に収納する必要もなく、吊り下げておくのにも多くの場所を取らないものとなる。
【００２１】
また、この考案の収納具は、吊り下げ用とした場合に、収納物品が一種類で、しかも数量が少ない場合には、一段にして使用することもでき、体裁も悪くなることがないものとなる。
【図面の簡単な説明】
【００２２】
【図１】この考案の収納具の斜視図である。
【図２】この考案の収納具の正面図である。
【図３】この考案の収納具の側面図である。
【図４】図２中のＡ−Ａ線によるこの考案の収納具の断面図である。
【図５】この考案の収納ケースを展開した状態の斜視図である。
【図６】この考案の収納具の背面図である。
【図７】この考案の収納具を自立させて使用する場合の背面側から見た状態の斜視図である。
【図８】この考案の収納具を自立させて使用する場合の側面図である。
【図９】この考案の収納具を二個連結したものを壁面に吊り下げて使用する場合の斜視図である。
【考案を実施するための形態】
【００２３】
以下、この考案の収納具を実施するための形態を、図面に基づいて詳細に説明する。
【００２４】
この考案の収納具は、図１〜４に示したように、合成樹脂の成形品としており、収納体１を単独で使用したり、複数、連結して使用できるものとしており、収納体１は、両側板２、前板３、後板４、および底板５から構成され、上方を開放したものとしている。
【００２５】
両側板２は、上辺２ａを前下がりに傾斜させており、前板３の上辺３ａは、両側板２の上辺２ａの下端と略同じ高さにしており、後板４の上辺４ａは、両側板２の上辺２ａの上端よりも相当高くしている。
【００２６】
前板３は、図５に示したように、その下端と底板５の前端とを弱め部３１で繋いでヒンジ構造として、収納体１を展開した形状で成形することにより、収納体１を合成樹脂の一体成形品としている。この場合、前板３の上辺３ａ寄りの両側部には係合片３２を設け、両側板２の上辺２ａの上端寄りの下方には係合孔２１を設け、前記弱め部３１から前板３を起こし、係合片３２を係合孔２１に係合することにより、収納体１を組み上げるようにしている。
【００２７】
後板４は、上端部の中央に表面から裏面に貫通する小孔４１を設けると共に、裏面の下端部の中央に係合片４２を設けている。そして、収納体１を単独で使用する場合には、前記小孔４１に紐を通したり、この小孔４１に釘を打ちつけて、壁などに吊り下げておくことができる。また、収納体１を複数、連結して使用する場合には、一つの収納体１の後板４の係合片４２を、別の収納体１の後板４の小孔４１に係合させ、この別の収納体１の後板４の係合片４２を、さらに別の収納体１の後板４の小孔４１に係合させるというように、複数の収納体１を連結した状態にし、最上段の収納体１の後板４の小孔４１に紐を通したり、この小孔４１に釘を打ちつけて、壁などに吊り下げておくことができる。
【００２８】
さらに、後板４は、下半部に起立用支持部４３を設けたものとしている。この起立用支持部４３は、左右一対の支持脚４３ａと、これら支持脚４３ａの間に位置するようにした係合片４３ｂとからなる。そして、前記支持脚４３ａが切り目４４および折り目４５から切り折りして起こされた状態で、前記係合片４３ｂが折り目４６から折り起こされた状態で、これら支持脚４３ａと係合片４３ｂとが係合するようにしている。
【００２９】
前記切り目４４は、左右一対の支持脚４３ａのそれぞれの周囲に形成された上辺切り目４４ａ、側辺切り目４４ｂ、下辺切り目４４ｃと、前記係合片４３ｂの周囲に形成された上辺切り目４４ｄ、側辺切り目４４ｅ、下辺切り目４４ｆとからなる。さらに、前記折り目４５は、左右一対の支持脚４３ａのそれぞれの基部に形成された側辺折り目４５ａ、４５ｂとからなり、前記折り目４６は、係合片４３ｂの基部に形成された下辺折り目４６ａとしている。
【００３０】
さらに、前記支持脚４３ａには、係合溝４７を設け、前記係合片４３ｂには、係合溝４８を設け、支持脚４３ａが切り目４４および折り目４５から切り折りして起こされた状態で、係合片４３ｂが折り目４６から折り起こされた状態で、支持脚４３ａの係合溝４７と係合片４３ｂの係合溝４８とが互いに係合するようにしている。
【００３１】
以上のように構成されたこの考案の収納具は、一つの収納体１を単独で吊り下げた状態にしたり、自立させた状態にして使用することができ、さらに複数の収納体１を連結して吊り下げた状態にして使用することができる。
【００３２】
先ず、一つの収納体１を単独で吊り下げた状態にして使用するには、図１〜４に示した収納体１の後板４の上端に設けた小孔４１に紐を通し、そのまま壁などに吊り下げておけばよい。
【００３３】
次に、一つの収納体１を単独で自立させた状態にして使用するには、図５に示したように収納体１を展開した状態にするか、前記図１〜４に示したように収納体１を組み上げた状態のまま、図７、８に示したように、支持脚４３ａを切り目４４および折り目４５から切り折りして起こした状態にすると共に、係合片４３ｂも折り目４６から起こした状態にし、支持脚４３ａの係合溝４７と係合片４３ｂの係合溝４８とが係合するようにして、テーブルなどに起立させておけばよい。
【００３４】
さらに、複数の収納体１を連結して吊り下げた状態にして使用するには、一つの収納体１の後板４の係合片４２を、もう一つ収納体１の後板４の小孔４１に係合させることにより、図９に示したように、収納体１を連結した状態にし、上段の収納体１の後板４の小孔４１に紐を通したり、この小孔４１に釘を打ちつけて、壁などに吊り下げておけばよい。
【００３５】
したがって、この考案の収納具は、自立用としても吊り下げ用としても使用することができるので、多用性に富むものとなり、使い勝手が良いものとなる。
【００３６】
さらに、この考案の収納具は、吊り下げ用とした場合に、収納物品の種類が多く、その数量が多いときは、その種類や数量に応じた必要な段数にすることができるので、別の収納具を用意して、その収納具に収納する必要もなく、吊り下げておくのにも多くの場所を取らないものとなる。
【００３７】
また、この考案の収納具は、吊り下げ用とした場合に、収納物品が一種類で、しかも数量が少ない場合には、一段にして使用することもでき、体裁も悪くなることがないものとなる。
【符号の説明】
【００３８】
１  収納体
２  側板
２ａ  上辺
３  前板
３ａ  上辺
４  後板
５  底板
２１  係合孔
３１  弱め部
３２  係合片
４１  小孔
４２  係合片
４３  起立用支持部
４３ａ  支持脚
４３ｂ  係合片
４４  切り目
４４ａ  上辺切り目
４４ｂ  側辺切り目
４４ｃ  下辺切り目
４４ｄ  上辺切り目
４４ｅ  側辺切り目
４４ｆ  下辺切り目
４５  折り目
４５ａ  側辺折り目
４５ｂ  側辺折り目
４６  折り目
４６ａ  下辺折り目
４７  係合溝
４８  係合溝
【図１】
0003192467.tif 000003
【図２】
0003192467.tif 000004
【図３】
0003192467.tif 000005
【図４】
0003192467.tif 000006
【図５】
0003192467.tif 000007
【図６】
0003192467.tif 000008
【図７】
0003192467.tif 000009
【図８】
0003192467.tif 000010
【図９】
0003192467.tif 000011